(57)【要約】【課題】  風量センサーの筺体を換気扇の周辺部材に簡単に取り付けることができ、後付けや位置変更も容易な風量検知装置を提供する。【解決手段】  風量センサー２を収納する筺体３をベース４とカバー５とで構成する。ベース４に取付ネジを通すための取付穴１６と、取付対象の磁性部材に吸着するマグネット１０とを設ける。マグネット１０を貫通する一本の組付ネジ１２により、ベース４とカバー５とマグネット１０とを分解可能に組み付ける。風量センサー２の両端面と対向する位置において、ベース４とカバー５にそれぞれ通風孔９，１９を形成する。【選択図】        図２
2008281235.tif 000002
【特許請求の範囲】
【請求項１】
風量センサーを収納する筺体をベースとカバーとから構成し、カバーをベースに分解可能に組み付け、ベースに取付ネジを通す取付穴と、取付対象の磁性部材に吸着するマグネットとを設けたことを特徴とする風量検知装置。
【請求項２】
前記マグネットを貫通する組付ネジにより、ベースとカバーとマグネットとを組み付けた請求項１記載の風量検知装置。
【請求項３】
前記ベースとカバーに風量センサーを収納する収納部と、風量センサーの端面に対向する通風孔とを形成した請求項１又は２記載の風量検知装置。
【発明の詳細な説明】
【技術分野】
【０００１】
本発明は、換気または空調システムで使用する風量検知装置に関する。
【背景技術】
【０００２】
従来、電子機器を収納する１９インチラックにおいて、熱による電子機器の動作不良を防止するために、ラックの天井部に換気扇を設置して、ラック内部を換気するシステムが知られている（例えば特許文献１）。しかし、換気扇が故障するなどして機能停止した場合、これを放置するとラック内部の温度が上昇し、電子機器の動作に支障をきたす可能性がある。そこで、従来、風量センサーを用いて換気扇の動作異常を検知する装置が提案されている。
【０００３】
図７は従来の風量検知装置５１を示す。この装置５１の筺体５２はベース５３とカバー５４とで構成されている。ベース５３には風量センサー５５がネジ５６で取り付けられ、風量センサー５５にケーブル５７のコネクタ５８が接続される。カバー５４はケーブル通線孔５９と排気孔６０とを備え、複数のネジ６１でベース５３に組み付けられる。そして、筺体５２がベース５３またはカバー５４の取付穴６２に通した取付ネジ６３で換気扇周辺の部材に取り付けられる。
【特許文献１】特開２００６−３２９５０７号公報
【発明の開示】
【発明が解決しようとする課題】
【０００４】
ところが、従来の風量検知装置５１によると、筺体５２の取付手段がネジ６３に限られているため、換気扇周辺の部材がどんな材質であっても、その部材の所定箇所に予めネジ通し穴を加工しておく必要があった。また、風量検知装置５１を既存の換気システムに後付けしたり、風量センサー５５の検知位置を変えたりする場合に、ネジ通し穴を追加または明け直す必要があり、特にラックの場合は、内部の電子機器をいったん外部に取り出して穴明け加工をする必要があり、作業にたいへん手間がかかるという問題点があった。
【０００５】
本発明の目的は、上記課題を解決し、風量センサーを収納する筺体を簡単に取付けることができ、後付けや位置変更も容易な風量検知装置を提供することにある。
【課題を解決するための手段】
【０００６】
上記課題を解決するために、本発明の風量検知装置は、風量センサーを収納する筺体をベースとカバーとから構成し、カバーをベースに分解可能に組み付け、ベースに取付ネジを通す取付穴と、取付対象の磁性部材に吸着するマグネットとを設けたことを特徴とする。
【０００７】
また、本発明の風量検知装置は、装置全体を容易に組み立てかつ分解できるように、マグネットを貫通する組付ネジにより、ベースとカバーとマグネットとを組み付けたことを特徴とする。
【０００８】
さらに、本発明の風量検知装置は、風量センサーの検知精度を高めるために、ベースとカバーに風量センサーを収納する収納部と、風量センサーの端面に対向する通風孔とを形成したことを特徴とする。
【０００９】
なお、風量検知装置の用途としては、電子機器を収納するラックのほか、燃焼機器や発電設備等の換気システム、エアコンや集塵装置等を用いた空調システム、電気掃除機や加熱調理器等の家電機器を例示できる。
【発明の効果】
【００１０】
本発明の風量検知装置によれば、筺体のベースに取付穴とマグネットとを設けたので、取付対象部材に応じて二通りの取付手段を選択でき、風量センサーを収納する筺体を簡単に取り付けることができ、後付けや位置変更も容易になるという優れた効果を奏する。
【発明を実施するための最良の形態】
【００１１】
以下、本発明の実施形態を図面に基づいて説明する。図１は風量検知装置の組付形態を示し、図２は分解形態を示し、図３は内部構造を示し、図４はベースを示し、図５はカバーを示し、図６は取付方法を例示する。
【実施例】
【００１２】
図１、図２に示すように、この風量検知装置１は内部に風量センサー２を収納する四角箱形の筺体３を備えている。筺体３はベース４とカバー５とに二分割して構成されている。そして、カバー５がベース４に分解可能に組み付けられ、ベース４が例えば電子機器収納用の１９インチラックにおいて換気扇の周辺部材に取り付けられる。
【００１３】
図２、図３、図４に示すように、ベース４は合成樹脂材料で片側面（カバー５側の面）が開いた薄箱形に成形され、内部に風量センサー２の一端部を収納する収納部７（図４ａ参照）が周壁８によって形成されている。収納部７の略中央部においてベース４には、換気扇によって発生した空気流を通過させるための通風孔９（図４ｂ参照）が風量センサー２の一端面と対向するように形成されている。
【００１４】
ベース４の反対側面の略中央には、マグネット１０（図２参照）を装着するための装着部１１が凹設され、マグネット１０によってベース４が換気扇周辺の磁性部材２６（図３参照）に吸着保持される。装着部１１の略中央には、筺体３の組付手段である組付ネジ１２を通すための組付穴１３が形成されている。ベース４の長手方向の両端には、筺体３の取付部である取付片１４が突設され、両方の取付片１４に取付ネジ１５（図６参照）を通すための取付穴１６が形成されている。
【００１５】
図２、図３、図５に示すように、カバー５は合成樹脂材料で片側面（ベース４側の面）が開いた薄箱形に成形され、内部に風量センサー２の他端部を収納する収納部１７（図５ｂ参照）が形成されている。カバー５は収納部１７と対応する部分が筺体３の表面側に突出し、この突出部１８の略中央部に空気流を通過させるための通風孔１９（図５ａ参照）が風量センサー２の他端面と対向するように形成されている。
【００１６】
カバー５の長手方向の一端面には、風量センサー２に接続されたケーブル２０を筺体３の外部に引き出すための通線孔２１が形成されている。ベース４の組付穴１３と整合する位置において、カバー５の内側にはボス部２２が立設され、ボス部２２に組付ネジ１２が螺入する組付穴２３が形成されている。そして、マグネット１０が組付ネジ１２を通す貫通孔２４（図２参照）を備え、マグネット１０を貫通する組付ネジ１２により、ベース４とカバー５とマグネット１０とが分解可能に組み付けられている。
【００１７】
この実施例の風量検知装置１は次のような作用効果を発揮する。
（ａ）ベース４にマグネット１０と取付穴１６の二つの取付手段を設けたので、風量センサー２の筺体３を換気扇周辺の部材に二通りの方法で取り付けることができる。
（ｂ）鋼製ラックの場合は、図６（ａ）に示すように、筺体３をマグネット１０の磁力で換気扇周辺のパネルやフレーム等の磁性部材２６にワンタッチで設置できる。既存ラックへの後付けや検知位置の変更に際しては、ネジ通し穴を追加または明け直す必要がなく、電子機器をラック内部に収納したままの状態で、筺体３を任意の位置に設置できる。
（ｃ）図６（ｂ）に示すように、風量検知装置１の取付対象部がアルミや樹脂等の非磁性部材２７である場合は、取付ネジ１５をベース４の取付穴１６に通してネジ穴２８に止め付けることで、筺体３を非磁性部材２７に強固に取り付けることができる。
【００１８】
（ｄ）図２に示すように、風量センサー２、ベース４、カバー５、マグネット１０の各部品を一本の組付ネジ１２で簡単に組み付けることができ、風量検知装置１の製作にあたって組立工数を削減できる。
（ｅ）一本の組付ネジ１２を外すだけでカバー５および風量センサー２をベース４から簡単に分解できるため、汚れやすい風量センサー２の清掃、点検、交換等のメンテナンス作業を容易に実施できる。
（ｆ）図３に示すように、ベース４およびカバー５の通風孔９，１９を風量センサー２の両端面と対向するように形成したので、風量センサー２の検知精度を高めて、換気扇の動作状態を的確に検知できる。
【００１９】
なお、本発明は上記実施例に限定されるものではなく、例えば、マグネット１０をベース４に内装したり、取付ネジ１５を通すための取付穴をベース４とカバー５の両方に設けたりするなど、本発明の趣旨を逸脱しない範囲で、各部の構成や形状を適宜に変更して実施することも可能である。
【図面の簡単な説明】
【００２０】
【図１】本発明の一実施例を示す風量検知装置の斜視図である。
【図２】図１の風量検知装置の分解斜視図である。
【図３】図１の風量検知装置の断面図である。
【図４】図１の風量検知装置のベースを示す斜視図である。
【図５】図１の風量検知装置のカバーを示す斜視図である。
【図６】図１の風量検知装置の取付方法を示す斜視図である。
【図７】従来の風量検知装置を示す斜視図である。
【符号の説明】
【００２１】
１    風量検知装置
２    風量センサー
３    筺体
４    ベース
５    カバー
７    ベース側のセンサー収納部
９    ベース側の通風孔
１０    マグネット
１２    組付ネジ
１５    取付ネジ
１６    取付穴
１７    カバー側のセンサー収納部
１９    カバー側の通風孔
【図１】
2008281235.tif 000003
【図２】
2008281235.tif 000004
【図３】
2008281235.tif 000005
【図４】
2008281235.tif 000006
【図５】
2008281235.tif 000007
【図６】
2008281235.tif 000008
【図７】
2008281235.tif 000009